(57)【要約】【課題】洗濯兼脱水槽の固定緩衝機能を高めた洗濯機の包装用緩衝装置及びその製造方法を提供する。【解決手段】洗濯物の洗濯兼脱水槽２３と、この洗濯兼脱水槽を吊り下げ収容した洗濯機本体２１と、この洗濯機本体の上方開口部２７に覆設しその中央部分の開口部２７Ａを蓋体２９Ａで開閉自在に覆った上部枠体２９とを備え、前記洗濯兼脱水槽２３の上方開口部内面に下方部１０３をはめ込み、前記上部枠体２９の開口部２７Ａに上方部１０５をはめ込むことで洗濯兼脱水槽の揺動を抑制する包装用緩衝装置１００であって、略直方体状の緩衝体本体１１０を設け、この両端１１３における下方部外周に洗濯兼脱水槽上端内方の突出部２３Ａをはめ込む窪み部１０７を設け、前記両端１１３における上方部１０５には前記上部枠体２９の開口部２７Ａに対するはめ込み部１０９を形成したものである。【選択図】　　図１
2004115111.tif 000002
【特許請求の範囲】
【請求項１】
洗濯物を収容する洗濯兼脱水槽と、この洗濯兼脱水槽を吊り下げ収容した洗濯機本体と、この洗濯機本体の上方開口部に覆設しその中央部分の開口部を蓋体で開閉自在に覆った上部枠体とを備えた洗濯機に対し、前記洗濯兼脱水槽の上方開口部内面に下方部をはめ込み、前記上部枠体の開口部に上方部をはめ込むことで洗濯兼脱水槽の揺動を抑制する洗濯機の包装用緩衝装置において、略直方体状をなした緩衝体本体を設け、この両端における下方部外周に洗濯兼脱水槽上端内方の突出部をはめ込む窪み部を設け、前記両端における上方部には前記上部枠体の開口部に対するはめ込み部を形成したことを特徴とする洗濯機の包装用緩衝装置。
【請求項２】
洗濯兼脱水槽の上方開口部側にバランスリングを装着し、このバランスリングの内周に形成した突出部が、前記緩衝体本体の窪み部にはまり込む構成としたことを特徴とする請求項１記載の洗濯機の包装用緩衝装置。
【請求項３】
洗濯物を収容する洗濯兼脱水槽と、この洗濯兼脱水槽を吊り下げ収容した洗濯機本体と、この洗濯機本体の上方開口部に覆設しその中央部分の開口部を蓋体で開閉自在に覆った上部枠体とを備えた洗濯機に対し、前記洗濯兼脱水槽の上方開口部内面に下方部をはめ込み、前記上部枠体の開口部に上方部をはめ込むことで洗濯兼脱水槽の揺動を抑制する洗濯機の包装用緩衝装置の製造方法において、略直方体状をなした緩衝体本体の着脱方向とは直交する方向で成形金型を移動させることで、前記緩衝体本体の両端側における下方部外周に洗濯兼脱水槽上端内方の突出部をはめ込む窪み部を、また、前記両端における上方部には前記上部枠体の開口部に対するはめ込み部をそれぞれ形成するように緩衝体本体を成形したことを特徴とする洗濯機の包装用緩衝装置の製造方法。
【発明の詳細な説明】
【０００１】
【発明の属する技術分野】
本発明は、工場で生産された洗濯機を運搬する時に使用する包装用緩衝装置とその製造方法に係り、特に、運搬時の緩衝装置の緩み防止を図ることができるように工夫したものに関する。
【０００２】
【従来の技術】
従来の洗濯機の包装用緩衝装置としては、図８に示すものが知られている。通常、洗濯機１１は、洗濯物を収容する洗濯兼脱水槽１と、この洗濯兼脱水槽１を吊り下げ収容した洗濯機本体３と、この洗濯機本体３の上方開口部５に覆設しその中央部分の開口部５Ａを蓋体７で開閉自在に覆った上部枠体９とを備え、この洗濯機１１の包装用緩衝装置１７は、この洗濯機１１に対して運搬時に取り付けられるものである。
【０００３】
その構成は、発泡材で形成され、全体として略半円形状をなし、前記洗濯兼脱水槽１の開口部１Ａの内面に略半円形状の下方部１３をはめ込み、前記上部枠体９の半円状の開口部５Ａに略半円形状の上方部１５をはめ込むことで洗濯兼脱水槽１の揺動を抑制するようにしたものである。
【０００４】
【発明が解決しようとする課題】
上記従来の洗濯機の包装用緩衝装置１７によると次のような問題点がある。まず、図９に示すように、洗濯兼脱水槽１の開口部１Ａの内面に略半円体状の下方部（フラット面）１３がはめ込まれ、上部枠体９の半円状の開口部５Ａに略半円体状の上方部（フラット面）１５がはめ込まれているため、運搬中の横転・振動等により、容易に緩んだり外れやすいという問題がある。このため、洗濯兼脱水槽の固定緩衝機能が十分に発揮できず、洗濯兼脱水槽１が揺動して洗濯機１１の本体に衝突して「打痕」と称される傷を作り、商品価値を低下させてしまうという問題があった。
【０００５】
本発明は上記のような点に基づいてなされたものでその目的とするところは、洗濯兼脱水槽の固定緩衝機能を高めた包装用緩衝装置とその製造方法を提供することにある。
【０００６】
【課題を解決するための手段】
上記目的を達成するべく本願発明の請求項１による洗濯機の包装用緩衝装置は、洗濯物を収容する洗濯兼脱水槽と、この洗濯兼脱水槽を吊り下げ収容した洗濯機本体と、この洗濯機本体の上方開口部に覆設しその中央部分の開口部を蓋体で開閉自在に覆った上部枠体とを備えた洗濯機に対し、前記洗濯兼脱水槽の上方開口部内面に下方部をはめ込み、前記上部枠体の開口部に上方部をはめ込むことで洗濯兼脱水槽の揺動を抑制する洗濯機の包装用緩衝装置において、略直方体状をなした緩衝体本体を設け、この両端における下方部外周に洗濯兼脱水槽上端内方の突出部をはめ込む窪み部を設け、前記両端における上方部には前記上部枠体の開口部に対するはめ込み部を形成したことを特徴とするものである。
【０００７】
本発明の請求項２による洗濯機の包装用緩衝装置は、請求項１記載の洗濯機の包装用緩衝装置において、洗濯兼脱水槽の上方開口部側にバランスリングを装着し、このバランスリングの内周に形成した突出部が、前記緩衝体本体の窪み部にはまり込む構成としたことを特徴とするものである。
【０００８】
本発明の請求項３による洗濯機の包装用緩衝装置の製造方法は、洗濯物を収容する洗濯兼脱水槽と、この洗濯兼脱水槽を吊り下げ収容した洗濯機本体と、この洗濯機本体の上方開口部に覆設しその中央部分の開口部を蓋体で開閉自在に覆った上部枠体とを備えた洗濯機に対し、前記洗濯兼脱水槽の上方開口部内面に下方部をはめ込み、前記上部枠体の開口部に上方部をはめ込むことで洗濯兼脱水槽の揺動を抑制する洗濯機の包装用緩衝装置の製造方法において、略直方体状をなした緩衝体本体の着脱方向とは直交する方向で成形金型を移動させることで、前記緩衝体本体の両端側における下方部外周に洗濯兼脱水槽上端内方の突出部をはめ込む窪み部を、また、前記両端における上方部には前記上部枠体の開口部に対するはめ込み部をそれぞれ形成するように緩衝体本体を成形したことを特徴とするものである。
【０００９】
【作用】
請求項１による洗濯機の包装用緩衝装置は、略直方体状をなした緩衝体本体が発泡材で成形され、この両端における下方部外周に洗濯兼脱水槽上端内方の突出部をはめ込む窪み部が設けられ、この両端における上方部には、洗濯機の上部枠体の開口部に対するはめ込み部が形成されているから、洗濯兼脱水槽上端内方の突出部に緩衝体本体の下方部外周に設けた窪み部が係合されることになり、洗濯機本体や洗濯兼脱水槽上端の少々の振動では外れない。
【００１０】
これにより、前記包装用緩衝装置において、洗濯兼脱水槽の固定緩衝機能が高められて、工場で生産された洗濯機を損傷させることなく安全に目的地まで運搬できる。また、洗濯機の荷造り中の振動や転倒によっても洗濯機を損傷させることがない。
【００１１】
また、請求項２による洗濯機の包装用緩衝装置は、洗濯兼脱水槽の上方開口部側にバランスリングが装着されたものにおいて、このバランスリングの内周に形成した突出部を、緩衝体本体の窪み部にはめ込める構成としたから、洗濯兼脱水槽上端に対する固定緩衝機能が高められる。従って、より一層確実に工場で生産された洗濯機を損傷させることなく安全に目的地まで運搬できる。
【００１２】
また、請求項３による洗濯機の包装用緩衝装置の製造方法は、略直方体状とした緩衝体本体の着脱方向に直交する方向に成形金型を移動させるようにしたから、二つ割りの成形金型を同方向に接合させてその内部に発泡材が注入され、緩衝体本体の両端側における下方部外周に洗濯兼脱水槽上端内方の突出部をはめ込む窪み部と、前記両端における上方部に前記上部枠体の開口部に嵌まるはめ込み部が形成される。この後、二つ割りの成形金型を同方向に開口すると、緩衝体本体の短手方向の中央位置の接合面が分離されて包装用緩衝装置が取り出せるので、上記窪み部を形成することが可能となるものである。
【００１３】
【発明の実施の形態】
以下、図１乃至図５を参照して本発明の第１の実施の形態を説明する。図１は洗濯機の包装用緩衝装置の外観斜視図、図２は包装用緩衝装置の正面図、図３は包装用緩衝装置の底面図、図４は包装用緩衝装置の断面図、図５は洗濯機の包装用緩衝装置を洗濯機に装着した状態を示す部分断面図である。
【００１４】
本発明の包装用緩衝装置１００は、洗濯機３０における洗濯機本体２１内の洗濯兼脱水槽２３の上部内面に下方部１０３をはめ込み、洗濯機本体２１の上部枠体２９の上方開口部２７Ａに上方部１０５をはめ込むことで、運搬中等の洗濯機の振動による洗濯兼脱水槽２３の揺動を防止するものである。まず、前記洗濯機３０の構成について説明する。このものは、洗濯物を収容する洗濯兼脱水槽２３と、この洗濯兼脱水槽２３を吊り下げ収容した洗濯機本体２１と、この洗濯機本体２１の上方開口部２７に覆設しその中央部分の開口部２７Ａを折畳式の蓋体２９Ａで開閉自在に覆った上部枠体２９と、を具備するものである。
【００１５】
前記洗濯機３０に装着される包装用緩衝装置１００は、略直方体状をなす緩衝体本体１１０であって、この長手方向の両端１１３を円弧状としている。この緩衝体本体１１０は通常発泡スチロール等の発泡材で成形されている。この両端１１３における下方部１０３の外周１０３Ａには、洗濯兼脱水槽２３の上端内方の突出部２３Ａをはめ込む窪み部１０７が凹設されている。この窪み部１０７は、前記突出部２３Ａの円弧部に密着して係合する曲率半径になっている。また、前記両端１１３における上方部１０５には、上部枠体２９の開口部２７Ａに対するはめ込み部１０９が形成されている。前記はめ込み部１０９は、開口部２７Ａの円弧部に密着して係合する曲率半径になっている。
【００１６】
また、前記洗濯機３０には、洗濯兼脱水槽２３の上方開口部である突出部２３Ａ側にバランスリングＢＲを装着しており、このバランスリングＢＲの内周である突出部２３Ａが、前記包装用緩衝装置１００における緩衝体本体１１０の窪み部１０７にはまり込む構成としている。尚、バランスリングＢＲがない場合でも、洗濯兼脱水槽２３の上方開口部には突出部２３Ａが形成されており、これを利用することができる。
【００１７】
本発明の包装用緩衝装置１００は、上述のように構成されており、以下のように作用する。まず、前記包装用緩衝装置１００は略直方体状をなした緩衝体本体１１０で形成されている。このものを洗濯機３０に取り付けるにあたっては、まず、この緩衝体本体１１０の両端１１３における上方部１０５のはめ込み部１０９を、洗濯機３０の上部枠体２９の開口部２７Ａに係合させる。これと同時に、この両端における下方部１０３の外周１０３Ａの窪み部１０７を、洗濯兼脱水槽２３の上端内方の突出部２３Ａに係合させる。この係合操作は、包装用緩衝装置１００の緩衝体本体１１０の両端１１３における下方部外周の窪み部１０７を、洗濯兼脱水槽２３の上端内方の突出部２３Ａに合わせ、上方部１０５のはめ込み部１０９を洗濯機３０の上部枠体２９の開口部２７Ａに合わせながら押し込むことで行われ、これにより、緩衝体本体１１０の両端１１３が少し撓んで瞬時に係合がなされる。
【００１８】
しかして、包装用緩衝装置１００が装着された洗濯機３０は、洗濯機本体１１０や洗濯兼脱水槽２３の上端側の少々の振動では包装用緩衝装置１００が外れない。
【００１９】
また、前記包装用緩衝装置１００は、洗濯兼脱水槽２３の上方開口部側にバランスリングＢＲを装着している場合は、このバランスリングＢＲの内周に形成した突出部２３Ａを、緩衝体本体１１０の窪み部１０７にはめ込むことになり、より一層洗濯兼脱水槽上端に対する固定緩衝機能が高められる。
【００２０】
以上本実施の形態の洗濯機の包装用緩衝装置１００によると、次のような効果を奏することができる。まず、緩衝体本体１１０は、この両端１１３の下方部１０３の外周１０３Ａに設けた窪み部１０７が、洗濯兼脱水槽２３の突出部２３Ａの円弧部に密着して係合する曲率半径となっており、更に、前記両端１１３の上方部１０５の外周１０５Ａに設けたはめ込み部１０９が、上部枠体２９の開口部２７の円弧部に密着して係合する曲率半径になっている。これにより、緩衝体本体１１０は、窪み部１０７が洗濯兼脱水槽２３の突出部２３Ａの円弧部に確実に密着して係合し、はめ込み部１０９が上部枠体２９の開口部２７Ａの円弧部に確実に密着するから、洗濯機の振動や横転等の衝撃によって外れるおそれはなく、よって、洗濯兼脱水槽２３の固定緩衝機能が発揮され、工場で生産された洗濯機を損傷させることなく安全に目的地まで運搬できる。また、洗濯機の荷造り中の振動や転倒によっても洗濯機を損傷させることがない。
【００２１】
次に、図６乃至図７を参照して本発明の洗濯機の包装用緩衝装置１００の製造方法の一例を説明する。本発明の洗濯機の包装用緩衝装置１００は発泡材で形成されるものであり、発泡成形によって製造される。ここで、洗濯機の包装用緩衝装置１００を成形するにあたり、略直方体状とした緩衝体本体１１０の着脱方向Ｘに直交する方向Ｙに成形金型Ｋ１，Ｋ２を移動させるようにするものである。すなわち、図６に示すように、成形金型Ｋ１，Ｋ２は、その接合面Ｓ１，Ｓ２を緩衝体本体１１０の短手方向の中央位置で対面させて接合させ、Ｙ方向に開閉するように形成される。そして、成形金型Ｋ１，Ｋ２によって形成される成形空間内に発泡材を発泡材注入口Ｈから注入し、これに蒸気を注入して発泡成形を行う。
【００２２】
これにより、緩衝体本体１１０の両端１１３側における下方部外周に洗濯兼脱水槽上端内方の突出部をはめ込む窪み部１０７を形成し、前記両端１１３における上方部１０５に前記上部枠体の開口部２７Ａに嵌まるはめ込み部１０９を形成する。このように、成形金型Ｋ１，Ｋ２はその接合面Ｓ１，Ｓ２を緩衝体本体１１０の短手方向の中央位置で対面させて接合させ、Ｙ方向に開閉するようにしたことで、前記窪み部１０７を形成することが可能となった。つまり、従来の包装用緩衝装置の場合には、緩衝体本体が半円形状で大きな体積を有しているから、成形金型の大きさ等の制約条件により、成形金型の移動方向と緩衝体本体１１０の着脱方向を一致させる必要があり、したがって、緩衝体本体１１０の両端に窪み部を設けることができないという事情があった。これに対し、本願発明の包装用緩衝装置によれば、二つ割りの成形金型Ｋ１，Ｋ２を開口する際、端部方向への最大膨出部である緩衝体本体１１０の短手方向の中央位置で成形金型Ｋ１，Ｋ２の接合面Ｓ１，Ｓ２を分離できるから、窪み部１０７を成形により形成することが可能となったのである。
【００２３】
また、従来の包装用緩衝装置の場合には、半円形状で大きな体積を有しているから、その成形に大型の金型が必要となり、一個取りの金型成形となって製造コストを高くしているが、本発明の包装用緩衝装置１００は、緩衝体本体１１０を略直方体状としているので、包装用緩衝装置の体積の小型化が図れるとともに、１つの金型で緩衝体本体１１０の２〜３個取りができ、その製造コストの低減を図ることができる。
【００２４】
尚、本発明は上記実施の形態に限定されるものではない。まず、緩衝体本体１１０は、略直方体状をなすものであれば良いから、図示の形状に限定されない。発泡材の原料低減のために設けた窪み空間は有っても無くても良い。更に、包装用緩衝装置１００の製造方法は、前記実施の形態のほか、任意な手段によっての実施が可能である。例えば、金型形状や個数取りの数も任意適宜に変更できる。
【００２５】
【発明の効果】
以上詳述したように、本発明の請求項１の包装用緩衝装置によると、略直方体状をなした緩衝体本体を発泡材で成形し、この両端における下方部外周に洗濯兼脱水槽上端内方の突出部をはめ込む窪み部を設け、この両端における上方部には、洗濯機の上部枠体の開口部に対するはめ込み部を形成しているから、洗濯兼脱水槽上端内方の突出部に緩衝体本体の下方部外周に設けた窪み部を係合させることにより、洗濯機本体や洗濯兼脱水槽上端の少々の振動では外れず、洗濯兼脱水槽の固定緩衝機能が高められ、工場で生産された洗濯機を損傷させることなく安全に目的地まで運搬できる。また、洗濯機の荷造り中の振動や転倒によっても洗濯機を損傷から防止できる。
【００２６】
請求項２によると、洗濯兼脱水槽の上方開口部側に装着したバランスリングの内周に形成した突出部に対して、緩衝体本体の窪み部をはめ込む構成としたから、より一層確実に、洗濯兼脱水槽上端に対する固定緩衝機能を高めることができる。これで、より一層確実に、工場で生産された洗濯機を損傷させることなく安全に目的地まで運搬できる。
【００２７】
請求項３の製造方法によると、略直方体状とした緩衝体本体の着脱方向に直交する方向に成形金型を移動させて成形を行うようにしたから、この緩衝体本体の両端側における下方部外周に洗濯兼脱水槽上端内方の突出部をはめ込む窪み部を形成することが可能となった。
【図面の簡単な説明】
【図１】本発明の第１実施形態を示し、洗濯機の包装用緩衝装置の外観斜視図である。
【図２】本発明の第１実施形態を示し、包装用緩衝装置の正面図である。
【図３】本発明の第１実施形態を示し、包装用緩衝装置の底面図である。
【図４】本発明の第１実施形態を示し、包装用緩衝装置の断面図である。
【図５】本発明の第１実施形態を示し、包装用緩衝装置を洗濯機に装着した断面図である。
【図６】本発明の第１実施形態を示し、包装用緩衝装置の製造方法の平面図である。
【図７】本発明の第１実施形態を示し、包装用緩衝装置の製造方法の断面図である。
【図８】従来例の洗濯機の包装用緩衝装置の外観斜視図である。
【図９】従来例の洗濯機の包装用緩衝装置の拡大断面図である。
【符号の説明】
２１　　　　　洗濯機本体
２３　　　　　洗濯兼脱水槽
２３Ａ　　　　突出部
２５　　　　　上部枠体
２７　　　　　上方開口部
２７Ａ　　　　開口部
２９　　　　　上部枠体
２９Ａ　　　　蓋体
３０　　　　　洗濯機
１００　　　　包装用緩衝装置
１０３　　　　下方部
１０３Ａ　　　外周
１０５　　　　上方部
１０７　　　　窪み部
１０９　　　　はめ込み部
１１０　　　　緩衝体本体
１１３　　　　両端
ＢＲ　　　　　バランスリング
Ｋ１，Ｋ２　　金型
Ｈ　　　　　　発泡材
Ｓ１，Ｓ２　　接合面
Ｘ　　　　　　着脱方向
Ｙ　　　　　　直交する方向
【図１】
2004115111.tif 000003
【図２】
2004115111.tif 000004
【図３】
2004115111.tif 000005
【図４】
2004115111.tif 000006
【図５】
2004115111.tif 000007
【図６】
2004115111.tif 000008
【図７】
2004115111.tif 000009
【図８】
2004115111.tif 000010
【図９】
2004115111.tif 000011